(57)【要約】【課題】老人あるいは看者（以下単に使用者という）の股部に添わせるだけで、使用者自身あるいは付き添いの人が居る場合でもその労力が少なくかつ所謂「横洩れ」のない簡易便器装置を提供する。【解決手段】ベット枠体６に載置されたマット４の表面中間部に設けられた貫通孔５と、該貫通孔５内に上下動可能に嵌挿された便器本体１と、一端を該便器本体１に、他端をベットの下辺部９に枢着させた揺動桿７，８と、該揺動桿７，８にその下端を、その上端をベットの枠体６の下辺部９に固着させたバネ桿１１とよりななる。【選択図】      図１
2004230004.tif 000002
【特許請求の範囲】
【請求項１】
ベットに載置されたマットの表面中間部に設けられた貫通孔と、
該貫通孔内に上下動可能に嵌挿された便器本体と、
一端を該便器本体に、他端をベットの下辺部に枢着させた揺動桿と、
該揺動桿に下端を上端をベットの下辺部に固着させたバネ桿とよりなり、
該バネ桿の作用によって常時上記便器本体を上方に引き上る作用をなすようにしたことを特徴とするベットに備える簡易便器装置。
【発明の詳細な説明】
【０００１】
【発明の属する技術分野】
この発明は所謂「寝たきり老人」や医療用に用いられるベットに備える簡易便器装置に関するものである。
【０００２】
【従来の技術】
老人社会を迎えようとしている今日、特に寝たきりの老人の排尿，排便には老人は勿論のこと、その付添いの人の苦労は今や大問題となっている。
【０００３】
即ち従来この種の便器は通常洗面器のようなものを老人の臀部に当てがうのであるが、この場合老人の臀部を老人自身あるいは付き添いの人が持ち上げ、その状態を保持しつつ排尿または排便させる手段が用いられていたためである。また、単に洗面器などを臀部に当てがうだけでは、臀部と洗面器との間から汚物が排出する虞が充分あった。
【０００４】
そこで、看護士等の介護者の労力を軽減すると同時に、被介護者の排泄行為が心地よく、簡易に行えるベット用の簡易便器が開発されている。
【０００５】
例えば、ベットの長さ方向の略中央部を区分し得るようにして、便器を脱着自在に装着し得るようにしたベット装置（特許文献１の明細書段落番号（００１５）及び図８等参照）、ベットの中央部にベットの長手方向と直交方向に移動自在に便器を装着したベット（特許文献２の明細書段落番号（００１０，００１２）及び図３等参照）あるいは、ベットの中央部に便器を開閉自在に設けるとともに、この開閉便座の下部に便器を設置した介護ベットが開発されている（特許文献３の明細書段落番号（０００７〜００１２）及び図５、図１１等参照）。
【０００６】
【特許文献１】
特開平１１−１９２２６８号公報
【特許文献２】
特開平１１−２９５７４０号公報
【特許文献３】
特開２００１−２７６１４７号公報
【０００７】
【発明が解決しようとする課題】
因て、前記従来のベット装置の場合、特許文献１，２の場合には排泄行為に当たって、ベットに対する便器のセット操作に手間が掛かり、その為の作業時間が掛かる等の操作性に欠けるとともに、特許文献３のベット装置の場合には、構造が複雑で経済性に欠け、簡易性にも乏しいものである。
【０００８】
本発明はこれらの欠点を除去するもので、上記老人あるいは看者（以下単に使用者という）の股部に添わせるだけで、使用者自身あるいは付き添いの人が居る場合でもその労力が少なくかつ所謂「横洩れ」のない簡性に富む易便器装置を提供するものである。
【０００９】
【課題を解決するための手段】
即ちこの発明の特徴は、ベットに載置されたマットの表面中間部に設けられた貫通孔と、該貫通孔内に上下動可能に嵌挿された便器本体と、一端を該便器本体に、他端をベットの下辺部に枢着させた揺動桿と、該揺動桿に下端を上端をベットの下辺部に固着させたバネ桿とよりなり、該バネ桿の作用によって常時上記便器本体を上方に引き上る作用をなすようにしたことで斯く成す結果、老人等が排便あるいは排尿なすときは通常上記便器本体の上辺に載置されている蓋体を除けば、バネ桿の作用で便器本体が老人等の臀部に沿うので、必要なら老人等の位置を少し直すだけで便器本体の上部と老人等の臀部がピッタリ接し排便、排尿は全て便器本体内に落下するから、外に洩れる虞がないのである。
【００１０】
なおかかる便器本体は本発明者が多数のデータを採取して平均的な人体の当該部分の形状大きさを選定し、ほとんどの人の股部に密に沿わせることができる形状を先に案出したのであって、その結果所謂「横洩れ」のない、しかも取り扱いが簡易な便器を提供できたのである。
【００１１】
なお上記の便器本体には、通常排出パイプが接続されており、この上記排出パイプは、吸引装置を介して排出物処理タンクに接続させることで自動排出の除去や洗滌ができるのである。
【００１２】
【発明の実施の形態】
以下、本発明の実施の形態を図面とともに説明する。
図１で（１）は比較的硬質の樹脂材料で造られたかつ平面ほぼ卵形の便器本体で、上面は開放（２）され、その下方は汚物収容部（３）となっており、上記開放部（２）は使用者の臀部に密に沿わせることができるようになっているのである。
【００１３】
（４）はその使用時に上記本体（１）を嵌合することができる貫通孔（５）を持ったマットを示したもので、上記貫通孔（５）はマット（４）の長手方向中心軸線上の中間部よりやや後方、即ち老人がマット（４）上に臥したときその臀部が位置する場所に穿たれ、かつその貫通孔（５）は上記便器本体（１）の収容部（３）の外周側面と同一形状にして同一の大きさのものである。
【００１４】
（６）はベットの枠体で、当然のこと乍ら該枠体（６）には、上記マット（４）の貫通孔（５）と同一の位置に同一大きさの孔が開放されている。
【００１５】
図で（７）と（８）は上下一対の揺動桿で、それぞれの一端は上記ベット枠体（６）の下辺（９）より下方に突出させて設けた固定桿（１０）に枢着させ、他端は上記便器本体（１）の一側部上下の関係で枢着させてある。
【００１６】
この揺動桿（７）と（８）を一対設けた理由は、便器本体（１）を上方に引き上る作用をなしたとき、該便器本体（１）は安定した状態を保ったまま垂直方向に引き上げられるようにしたためである。
【００１７】
また図中（１１）は、上記揺動桿の一方仮令えば（８）に末端と、上端はベット枠体（６）の裏面に固着したバネ桿であり、（１２）は便器本体（１）の下辺と接続され、バキューム機構と接続しているホースである。
【００１８】
而して通常は上記貫通孔（５）の上方には図示しないマット（４）と同様の材質で造られた蓋体があり、便器本体（１）は図の一点錯綜のようにベット枠体（６）の下方にあり、老人等はその臀部が上記蓋体上に位置するように臥している。
【００１９】
ここで、老人等寝たきりの病人が排便または排尿するとき、上記蓋体を取り除く。この結果便器本体（１）は、バネ桿（１１）の復元力によって一対の揺動桿（７）（８）に扇状運動を与えるので上昇し、その上辺開放部（２）は老人等の臀部にピッタリ密着する。
【００２０】
従ってこの状態で老人等が排便，排尿しても、汚物が便器本体（１）と臀部の間から洩れるという虞はほとんどなくなるのである。
【００２１】
なお排便，排尿後は便器本体（１）を押し下げ、蓋をして元の状態とするもので、汚物は必要に応じてバキューム装置を稼動させホース（１２）より排出させればよい。
【００２２】
【発明の効果】
総じて本発明の効果は、この結果使用者はその臀部を持ち上げるようなことなく、容易に上記のように便器本体を自身の股部に密に沿わせ自分自身で排泄行為を、外部に漏洩させることなく簡易に排泄行為を行うことができるものである。
【図面の簡単な説明】
【図１】本発明の簡易便器装置の全体の断面説明図である。
【符号の説明】
１  便器本体
２  開放部
３  汚物収容部
４  マット
５  貫通孔
６  ベットの枠体
７，８  一対の揺動桿
１１  バネ桿
１２  ホース
【図１】
2004230004.tif 000003